(57)【要約】【課題】長手方向に亘って一様に照明を行いやすく、且つ下方の照明も行うことができる郵便受けを提案する。【解決手段】本発明の郵便受け１００は、前面に投入口１２が設けられた投函箱１と、投函箱１に設けられた照明装置２と、を備える。照明装置２は、投函箱１に設けられる光源３と、導光部材４と、を有する。導光部材４は、投函箱１の左右方向に対して長手方向が平行になるように配置され、光源３から発せられた光を長手方向の一端から取り込み、この取り込んだ光を投函箱１の上方と投函箱１の内部に向かって出射するように構成されている。【選択図】図１
2015066285.tif 000002
【特許請求の範囲】
【請求項１】
前面に投入口が設けられた投函箱と、
この投函箱に設けられた照明装置とを備え、
前記照明装置は、
光源と、
前記投函箱の左右方向に対して長手方向が平行になるように配置され、前記光源から発せられた光を長手方向の一端から取り込み、この取り込んだ光を前記投函箱の上方に向かって出射するように構成された導光部材と、
を有していることを特徴とする郵便受け。
【請求項２】
前記照明装置は、
前記投函箱の下方に向かって光を出射する下方照射部を有する
ことを特徴とする請求項１記載の郵便受け。
【請求項３】
前記光源と前記導光部材とを有する上方照射部を備え、前記上方照射部とは別に前記下方照射部が設けられることを特徴とする請求項１記載の郵便受け。
【請求項４】
前記下方照射部が、
前記投函箱に設けられた第二の光源と、
前記投函箱の左右方向に対して長手方向が平行になるように配置され、前記第二の光源から発せられた光を長手方向の一端から取り込み、この取り込んだ光を前記投函箱の下方に向かって出射するように構成された第二の導光部材と、
を有していることを特徴とする請求項３記載の郵便受け。
【請求項５】
前記投函箱は、その上下長さが建築用コンクリートブロック１．５個分の上下長さと同じであることを特徴とする請求項１乃至４のいずれか一項に記載の郵便受け。
【発明の詳細な説明】
【技術分野】
【０００１】
本発明は、郵便受けに関し、特に照明装置を備えた郵便受けに関する。
【背景技術】
【０００２】
特許文献１には、ＬＥＤ照明ユニットを備えた郵便ポストが開示されている。
【０００３】
この郵便ポストでは、ＬＥＤ照明ユニットはポスト前面のうち投函口の上下を照らしている。ＬＥＤ照射ユニットは、その長手方向に複数個のＬＥＤ照明を互いに間隔を置いて配置して構成される。
【先行技術文献】
【特許文献】
【０００４】
【特許文献１】特開２００４−４９５８７号公報
【発明の概要】
【発明が解決しようとする課題】
【０００５】
特許文献１の郵便ポストでは、ＬＥＤ照射ユニットがその長手方向に複数個のＬＥＤ照明を互いに間隔を置いて配置したものであるため、ＬＥＤ照明毎の色のばらつき等によって、長手方向に亘って一様に照明を行うことが難しいおそれがあった。
【０００６】
また、特許文献１の郵便ポストでは、ＬＥＤ照明ユニットによってポスト下方の照明を行うことができなかった。
【０００７】
上記事情を鑑みて、本発明は、長手方向に亘って一様に照明を行いやすく、且つ下方の照明も行うことができる郵便受けを提案することを課題とする。
【課題を解決するための手段】
【０００８】
上記課題を解決するために本発明の郵便受けは、前面に投入口が設けられた投函箱と、この投函箱に設けられた照明装置とを備え、前記照明装置は、光源と、前記投函箱の左右方向に対して長手方向が平行になるように配置され、前記光源から発せられた光を長手方向の一端から取り込み、この取り込んだ光を前記投函箱の上方に向かって出射するように構成された導光部材と、を有していることを特徴とする。
【０００９】
また、前記照明装置は、前記投函箱の下方に向かって光を出射する下方照射部を有することが好ましい。
【００１０】
また、前記光源と前記導光部材とを有する上方照射部を備え、前記上方照射部とは別に前記下方照射部が設けられることが好ましい。
【００１１】
また、前記下方照射部が、前記投函箱に設けられた第二の光源と、前記投函箱の左右方向に対して長手方向が平行になるように配置され、前記第二の光源から発せられた光を長手方向の一端から取り込み、この取り込んだ光を前記投函箱の下方に向かって出射するように構成された第二の導光部材と、を有していることが好ましい。
【００１２】
また、前記投函箱は、その上下長さが建築用コンクリートブロック１．５個分の上下長さと同じであることが好ましい。
【発明の効果】
【００１３】
本発明の郵便受けは、照明装置を、複数のＬＥＤ照明を長手方向に並べて有するものではなく、光源と、光源から発せられた光を長手方向の一端から取り込んで、取り込んだ光を投函箱の上方に向かって出射する導光部材とを有するものとしている。これにより、本発明の郵便受けは、ＬＥＤ照明毎の色のばらつき等の問題を回避して、長手方向に亘って一様の照明を行いやすいものとなっている。
【図面の簡単な説明】
【００１４】
【図１】本発明の第一実施形態の郵便受けを示し、（ａ）は概略斜視図であり、（ｂ）は概略側断面図である。
【図２】同上の郵便受けの照明装置を示し、（ａ）は分解斜視図であり、（ｂ）は組立状態の斜視図である。
【図３】第二実施形態の郵便受けの概略側断面図である。
【図４】第三実施形態の郵便受けの概略斜視図である。
【図５】第四実施形態の郵便受けの概略側断面図である。
【図６】第五実施形態の郵便受けの概略側断面図である。
【発明を実施するための形態】
【００１５】
以下、本発明の実施形態について添付図面に基づいて説明する。
【００１６】
本発明の第一実施形態の郵便受け１００は、図１に示すように、門柱５に取り付けられる。門柱５には、郵便受け１００の上方に、表札６やインターホン（図示せず）が取り付けられる。表札６は、従来周知のものであり、例えば、金属板や天然銘木や天然石やタイルやガラスやアクリルに、文字を入れたものである。
【００１７】
門柱５は、例えば、ＪＩＳ  Ａ５４０６等に規定されている建築用コンクリートブロックを積み重ねて構成されたコンクリートブロック塀である。門柱５は、郵便受け１００を取り付けるための取付孔５１を有している。建築用コンクリートブロックは、例えば、縦寸法１９０ｍｍ、横寸法３９０ｍｍの規格寸法を持つコンクリートブロックである。なお、郵便受け１００が設けられるのは門柱５に限定されない。
【００１８】
郵便受け１００は、図１（ａ）に示すように、前面に投入口１２が設けられ後面に取出口１３が設けられた投函箱１と、この投函箱１に設けられた照明装置２とを備える。
【００１９】
投函箱１は、図１（ｂ）に示すように、門柱５に取り付けられた状態で門柱５の前面５０よりも前方に突出する前面部１０と、門柱５の内部に埋め込まれる投函箱本体１１とを有する。投函箱本体１１は、上下長さの収納部１１１と、収納部１１１の上部から前方に突出し収納部１１１よりも上下長さの短い突出部１１２と、を備えている。収納部１１１は、その前部が門柱５の内部に埋め込まれ、後部が門柱５の後面５２よりも後方に突出する。投函箱１は、例えば、投函箱本体１１の後面部１５（収納部１１１）の上下長さが、建築用コンクリートブロック１．５個分の上下長さ（２８５ｍｍ）と同じ上下長さとなるように形成される。なお、ここでいうブロック１．５個分の上下長さと同じ上下長さとは、ブロック１．５個分の上下長さよりも僅かに短い、略同じ上下長さも含む。
【００２０】
投函箱１は、前面部１０に、投入口１２と投入口１２を開閉する前蓋１４と照明装置２とを有している。投入口１２は、前面部１０を前後方向に貫通する開口であって、左右方向を長手方向とする矩形状の開口である。前蓋１４は、前面部１０に回転自在に設けられる。また、投函箱１は、投函箱本体１１の後面部１５に、取出口１３と取出口１３を開閉する後蓋１６とを有している。取出口１３は、後面部１５を前後方向に貫通する開口であって、後面部１５全体に亘って設けられる。後蓋１６は、後面部１５に回転自在に設けられる。
【００２１】
投函箱１は、投函箱本体１１に郵便物７が収納される。投函箱本体１１には、郵便物７を投函箱本体１１の底面から離して配置させる受け板１７と、照明装置２の照明のオンオフを制御する制御器８と、制御器８を投函箱本体１１の内部に対して隠すカバー板１８とが配置されている。制御器８は、例えば、郵便受け１００の周囲（門柱５の周囲）の暗さを検知して、ある一定以上暗い場合に、照明装置２をオンにし、それ以外の場合に、照明装置２をオフにするように、照明装置２を自動制御する。制御器８は、有線または無線によって照明装置２と接続されている。制御器８と照明装置２は、例えば、外部の電源から電力が得て駆動する。なお、制御器８及び照明装置２は、電池から電力を得て駆動するものであってもよい。
【００２２】
照明装置２は、本実施形態では、投函箱１の上方および内部を照射する上方照射部２０と、投函箱１の下方を照射する下方照射部２１と、を備えている。上方照射部２０は、図２（ｂ）に示すように、光源３をなすＬＥＤ照明３０と、長尺な導光部材４と、導光部材４の長手方向の一端に対向する位置にＬＥＤ照明３０を取り付ける取付部材９と、を有する。
【００２３】
照明装置２は、図１に示すように、前面部１０のうち投入口１２よりも上方の部位、つまり、前面部１０の上端部に内蔵される。照明装置２は、導光部材４の長手方向が投函箱１（前面部１０）の左右方向に対して平行になるように配置される。前面部１０は、その上面１０１に上下方向に貫通する平面視矩形状の装着孔１０２が設けられている。照明装置２は、装着孔１０２を照明カバー４２で閉塞するように前面部１０に取り付けられる。導光部材４は、光源３から発せられた光を長手方向の一端から取り込み、この取り込んだ光を投函箱１の上方と内部に向かって出射するように構成されている。
【００２４】
取付部材９は、図２（ａ）に示すように、円筒状のガイド部９０と、ガイド部９０の軸方向の一端に形成されたフランジ部９１とを有する。取付部材９は、フランジ部９１の中央にＬＥＤ照明３０が取り付けられ、ガイド部９０の軸方向の他端が導光部材４に取り付けられることで、ＬＥＤ照明３０を導光部材４に取り付ける。フランジ部９１に取り付けられたＬＥＤ照明３０からの光は、ガイド部９０の内周面に反射して、導光部材４の後述する導光体４０へガイドされる。本実施形態では、取付部材９は、ＬＥＤ照明３０からの光が外部に漏れださないように非透明な部材で形成されている。取付部材９には、フランジ部９１に取り付けられたＬＥＤ照明３０を覆ってカバーするカバー材９３が取り付けられる。カバー材９３は、ねじ等の固定具を用いて前面部１０に固定される。
【００２５】
導光部材４は、導光体４０、反射カバー４１、及び照明カバー４２を有する。導光体４０は、アクリル等の光透過性材料で形成された長尺な棒状の部材である。反射カバー４１は、長手方向の断面がＵ字状のものであり、導光体４０の上面４００及び長手方向の両端面４０１，４０２を除く部分全てを長手方向に亘って覆う。言い換えると、反射カバー４１は、導光体４０の底面４０３と前面４０４と後面４０５とを長手方向に亘って覆う。反射カバー４１は、導光体４０に取り込んだ光を乱反射させて拡散させて、この光を導光体４０の上面４００から長手方向に亘って出射させる。これにより、本実施形態では、導光体４０は、上面４００が第一出射面となっている。なお、反射カバー４１は、導光体４０の上面４００から出射する光の量を、長手方向に亘って略一定となるように拡散させるものであることが好ましい。
【００２６】
本実施形態では、反射カバー４１は、導光体４０の長手方向の他端面４０２（ＬＥＤ照明３０が対向する一端面４０１とは反対側の端面）を覆っていない。これにより、本実施形態では、導光体４０の長手方向の他端面４０２が、導光体４０に取り込んだ光が出射される第二出射面となっている。
【００２７】
照明カバー４２は、反射カバー４１が装着された導光体４０を長手方向に亘って上方から覆うカバーであり、光透過性を有する。照明カバー４２は、導光体４０の上面４００から出射された光を拡散させて出射させるか、あるいは、そのまま通過させる。
【００２８】
上方照射部２０では、ＬＥＤ照明３０が点灯されると、ＬＥＤ照明３０から出射された光が、導光体４０の長手方向の一端面４０１から入射され、導光体４０に入射された光が反射カバー４１によって乱反射されて拡散される。そして、反射カバー４１によって拡散された光は、導光体４０の上面４００から長手方向に亘って出射され、上面４００から出射された光は、照明カバー４２の上面４２０を通過して、上面４２０から長手方向に亘って出射される。
【００２９】
また、上方照射部２０では、導光体４０に入射された光のうち、上面４００（第一出射面）から出射されなかった残りの光は、導光体４０の長手方向の他端面４０２（第二出射面）から出射される。
【００３０】
以上説明した上方照射部２０は、図１（ａ）に示すように、投函箱１の前面部１０のうち投入口１２よりも上方の部位、つまり、前面部１０の上端部に内蔵される。上方照射部２０は、照明カバー４２が前面部１０の上方に向けて露出するように前面部１０に内蔵される。そして、上方照射部２０は、導光体４０の長手方向の他端面４０２が前面部１０内の構成によって閉塞されないように配置される。言い換えると、上方照射部２０は、導光体４０の長手方向の他端面４０２とこれに対向する前面部１０内の構成（例えば、前面部１０の側壁）との間に隙間ができるように配置される。そして、投函箱１に上方照射部２０を内蔵した郵便受け１００は、門柱５の取付孔５１に設置され、前面部１０が門柱５の前面５０よりも前側に突出させて配置される。門柱５には、前面部１０の上方に表札６やインターホン（図示せず）が設置される。本実施形態では、取付孔５１は、門柱５の後面５１側に位置する部分が、建築用コンクリートブロック１．５個分の上下長さと同じ長さとなるように形成されている。
【００３１】
下方照射部２１は、図１、図２に示すように、本実施形態では上方照射部２０と同様で上下を反転させたものであり、図示しないが、第二の光源をなす第二のＬＥＤ照明、第二の導光部材、第二の取付部材を有する。なお、ここでいう「第二」とは、上方照射部２０の光源３、ＬＥＤ照明３０、導光部材４、取付部材９の各構成を「第一」のものとした場合の当該下方照射部２１のものをいう。下方照射部２１では、第二のＬＥＤ照明が点灯されると、第二の導光部材の導光体の下面（第一出射面）から長手方向に亘って出射され、下面から出射された光は、照明カバーの下面を通過して、この下面の長手方向に亘って出射される。また、下方照射部２１では、第二の導光部材の導光体に入射された光のうち、下面（第一出射面）から出射されなかった残りの光は、導光体の長手方向の他端面（第二出射面）から出射され、投函箱本体１１の内部を照射してもよい。下方照射部２１は、図１に示すように、投函箱１の前面部１０のうち投入口１２よりも下方の部位、つまり、前面部１０の下端部に内蔵される。下方照射部２１は、照明カバーが前面部１０の下方に向けて露出するように前面部１０に内蔵される。
【００３２】
上述のように郵便受け１００を門柱５に設置することによって、上方照射部２０の照明カバー４２から長手方向に亘って出射される光を、投函箱１の前面部１０の上方に向けて、つまり、表札６に向けて出射することができる。ここで、本実施形態の郵便受け１００では、ＬＥＤ照明３０からの光を導光部材４に導入して、導光部材４の長手方向に亘って光を出射するようにしている。そのため、本実施形態の郵便受け１００では、従来例のように複数のＬＥＤ照明で構成される照明ユニットを備えるものと比べて、長手方向に亘って一様な照明を行いやすいものとなっている。
【００３３】
また、本実施形態の郵便受け１００では、導光体４０の長手方向の他端面４０２から出射される光を、この他端面４０２に対向する前面部１０内の構成に反射させる等して、投函箱１（投函箱本体１１）の内部を照らすことができる。このようにＬＥＤ照明３０から導光体４０に入射された光のうち、上面４００（第一出射面）から出射されなかった残りの光を利用することで、郵便受け１００は、投函箱１の前面部１０の上方を明るく照らしたうえで、投函箱１の内部も残りの光で照らすことができる。
【００３４】
また、本実施形態の郵便受け１００では、下方照射部２１の照明カバーから長手方向に亘って出射される光を、投函箱１の前面部１０の下方に向けて出射することができ、また、長手方向に亘って一様な照明を行いやすい。
【００３５】
また、本実施形態の郵便受け１００では、建築用コンクリートブロック１．５個分の取付孔５１に対応するサイズの投函箱１を用いることで、例えば、メール便などの大型の郵便物全体を、投函箱１内に収納しやすく且つ取り出しやすくしたうえで、郵便受け１００をコンパクトに設けることができる。
【００３６】
以上まとめると、本発明の実施形態の郵便受けは、第一実施形態の郵便受け１００のように、前面に投入口１２が設けられ後面に取出口１３が設けられた投函箱１と、投函箱１に設けられた照明装置２と、を備える。照明装置２は、投函箱１の内部に設けられる光源３と、導光部材４と、下方照射部２１と、を有する。導光部材４は、投函箱１の左右方向に対して長手方向が平行になるように配置され、光源３から発せられた光を長手方向の一端から取り込み、この取り込んだ光を投函箱１の上方に向かって出射する。
【００３７】
このような構成としたことで、本発明の第一実施形態の郵便受けでは、光源３（ＬＥＤ照明３０）からの光を導光部材４に取り込み、この取り込んだ光を、導光部材４の長手方向に亘って、投函箱１の上方に向けて出射することができる。これにより、本発明の実施形態の郵便受けでは、複数のＬＥＤ照明を用いるものと比べて、長手方向に亘って一様の照明を行いやすいものとなっている。
【００３８】
また、下方照射部２１により投函箱１の前面部１０の下方に向けて出射することができる。
【００３９】
また、光源３と導光部材４とを有する上方照射部２０を備え、上方照射部２０とは別に下方照射部２１が設けられるため、設計上の自由度が増すものである。
【００４０】
また、下方照射部２１が、投函箱１に設けられた第二の光源と、投函箱１の左右方向に対して長手方向が平行になるように配置される。そして、前記第二の光源から発せられた光を長手方向の一端から取り込み、この取り込んだ光を投函箱１の下方に向かって出射するように構成された第二の導光部材と、を有している。このため、複数のＬＥＤ照明を用いるものと比べて、長手方向に亘って一様の照明を行いやすいものとなっている。
【００４１】
次に、第二実施形態について、図３に基いて説明する。なお、第二実施形態は、第一実施形態と大部分において同じであるため、同じ部分については同符号を付して説明を省略し、異なる部分について説明する。
【００４２】
第一実施形態においては、下方照射部２１が投函箱１の内部に設けられていたのに対し、第二実施形態においては、下方照射部２１が、投函箱１とは別に設けられている。
【００４３】
これにより、投函箱１内に下方照射部２１が設けられる必要がなく、設計上の自由度が増し、また、投函箱１内の収納スペースの低減が抑えられる。
【００４４】
次に、第三実施形態について、図４に基いて説明する。なお、第三実施形態は、第一実施形態と大部分において同じであるため、同じ部分については同符号を付して説明を省略し、異なる部分について説明する。
【００４５】
第一実施形態においては、上方照射部２０とは別に下方照射部２１が設けられるのに対し、第三実施形態においては、上方照射部２０の導光部材４が下方照射部２１を兼用する。
【００４６】
すなわち、図４に示すように、導光部材４の光源３側とは反対側の端部が下方に曲げられて、他端面４０２が下方を向いている。そして、この他端面４０２が下方照射部２１となり、導光部材４の内部に取り込まれた光を出射して、投函箱１の下方を照らすものである。
【００４７】
これにより、上方照射部２０とは別に下方照射部２１を設ける必要がなく、部材点数の増加、ひいては製造コストの増加が抑えられるものである。
【００４８】
次に、第四実施形態について、図５に基いて説明する。なお、第四実施形態は、第一実施形態と同じ部分については同符号を付して説明を省略し、異なる部分について説明する。
【００４９】
第四実施形態においては、光源３および導光部材４と、反射部材４３により照明装置２（上方照射部２０および下方照射部２１）が構成される。
【００５０】
第四実施形態においては、図５に示すように、第一実施形態と比べて、導光部材４が前方に９０°傾いており、第一出射面（第一実施形態における上面４００）が前方を向いている。そして、第一出射面の前方に反射部材４３が設けられる。反射部材４３は、側面視において後方に突出するＶ字状をし、後方より前方に進行してきた光を、上側の反射面が上方に反射し、下側の反射面が下方に反射するものである。すなわち、上側の反射面の法線が水平よりも上側に３０〜６０°（好ましくは４５°）傾き、上側の反射面の法線が水平よりも下側に３０〜６０°（好ましくは４５°）傾いている。
【００５１】
このように、第四実施形態においては、上方照射部２０とは別に下方照射部２１を設ける必要がなく、部材点数の増加、ひいては製造コストの増加が抑えられるものである。
【００５２】
次に、第五実施形態について、図６に基いて説明する。なお、第五実施形態は、第一実施形態と同じ部分については同符号を付して説明を省略し、異なる部分について説明する。
【００５３】
第五実施形態においては、上方照射部２０と下方照射部２１が、投函箱１とは別に設けられている。さらに、投函箱本体１１が門柱５の内部に埋め込まれるのではなく、投函箱１が門柱５の前面５０に照明装置２を介して露出している。なお、第一実施形態で後面に設けられていた取出口１３は前面の投入口１２の下側に設けられている。照明装置２は、第一実施形態と同様の上方照射部２０および下方照射部２１と、制御器８を備えたもので、これらが筐体に収納されてユニット化されたものである。
【００５４】
これにより、投函箱１内に下方照射部２１が設けられる必要がなく、設計上の自由度が増し、また、投函箱１内の収納スペースの低減が抑えられる。
【００５５】
このように、門柱５の内部に投函箱１が埋め込まれないものにおいても、簡単な構成で、上下を照射することが可能となる。
【００５６】
なお、上述した第一実施形態の郵便受け１００では、上方照射部２を、導光部材４の内部に取り込まれた光を、導光部材４の光源３側とは反対側の他端面４０２から出射することで、投函箱１の内部を照らすものとしたが、これに限定されない。例えば、上方照射部２は、取付部材９を透明な部材で形成して、光源３（ＬＥＤ照明３０）と導光部材４の長手方向の一端面４０１との間から投函箱１の内部に向けて光を出射するものであってもよい。この場合、導光部材４の光源３側とは反対側の他端部は閉塞して、この他端部から光が出射されないようにしてもよい。また、他にも、上方照射部２は、反射カバー４１の一部を切り欠いて、導光部材４の長手方向の一部から、投函箱１の内部に向けて光が出射するものであってもよい。この場合、光源３（ＬＥＤ照明３０）と導光部材４の長手方向の一端面４０１との間や、導光部材４の光源３側とは反対側の他端から光が出射されないようにしてもよい。
【００５７】
また、上述した第一実施形態の郵便受け１００では、投函箱１を、その上下長さが建築用コンクリートブロック１．５個分の上下長さと同じものとしたが、これに限定されない。例えば、投函箱１の上下長さを、建築用コンクリートブロック１個分、２個分、３個分、等としてもよい。
【００５８】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５９】
１    投函箱
１０  前面部
１００  郵便受け
１０１  上面
１０２  装着孔
１１  投函箱本体
１１１  収納部
１１２  突出部
１２  投入口
１３  取出口
１４  前蓋
１５  後面部
１６  後蓋
１７  受け板
１８  カバー板
２    照明装置
２０  上方照射部
２１  下方照射部
３    光源
３０  ＬＥＤ照明
４    導光部材
４０  導光体
４００  上面
４０１  一端面
４０２  他端面
４０３  底面
４０４  前面
４０５  後面
４１  反射カバー
４２  照明カバー
４２０  上面
４３  反射部材
５    門柱
５０  前面
５１  取付孔
５２  後面
６    表札
７    郵便物
８    制御器
９    取付部材
９０  ガイド部
９１  フランジ部
９３  カバー材
【図１】
2015066285.tif 000003
【図２】
2015066285.tif 000004
【図３】
2015066285.tif 000005
【図４】
2015066285.tif 000006
【図５】
2015066285.tif 000007
【図６】
2015066285.tif 000008